【手続補正書】
【提出日】平成22年9月24日(2010.9.24)
【手続補正１】
【補正対象書類名】特許請求の範囲
【補正対象項目名】全文
【補正方法】変更
【補正の内容】
【特許請求の範囲】
【請求項１】
１ゲームに対して所定数の賭数を設定することによりゲームを開始させることが可能となり、各々が識別可能な複数種類の識別情報を変動表示させる可変表示装置に表示結果が導出されることにより１ゲームが終了し、該可変表示装置に導出された表示結果に応じて入賞が発生可能であるスロットマシンにおいて、
所定の変動開始条件が成立したときに、前記可変表示装置における識別情報の変動表示を開始させる変動開始制御手段と、
遊技者の操作により、前記識別情報の変動表示を停止させることを指示する停止操作手段と、
前記停止操作手段の操作を検出する停止操作検出手段と、
前記可変表示装置の表示結果が導出される以前に、前記可変表示装置の表示結果として、許容する旨が決定されたときに前記停止操作手段の操作の検出タイミングが適正であることを条件として導出されるとともに通常遊技状態よりも遊技者にとって有利な特別遊技状態への移行を伴う特別表示結果と、該特別表示結果とは異なる表示結果であって許容する旨が決定されたときに前記停止操作手段の操作の検出タイミングに関わらず導出されるとともに前記賭数の設定に使用可能な有価価値を用いることなくゲームを行うことが可能な再ゲームの付与を伴う再遊技表示結果とを含む入賞表示結果を導出させることを許容するか否かを抽選により決定する事前決定手段と、
前記停止操作検出手段が前記停止操作手段の操作を検出したときに、該操作の検出から予め定められた最大遅延時間の範囲内で識別情報の変動表示を停止させることで導出可能な表示結果であって前記事前決定手段の決定結果に応じた表示結果を導出させる変動停止制御手段と、
前記事前決定手段による前記特別表示結果の導出を許容する旨の決定に基づいて前記特別表示結果が導出されたときに、前記特別遊技状態に遊技状態を移行させる特別遊技状態制御手段と、
前記事前決定手段による前記特別表示結果の導出を許容する旨の決定に基づいて前記特別表示結果が導出されないときに、該特別表示結果が導出されるまで当該決定を次ゲーム以降に持ち越す特別決定持越手段と、
前記特別決定持越手段により前記特別表示結果の導出を許容する旨の決定が持ち越されているときに前記事前決定手段が前記再遊技表示結果の導出を許容する旨を決定する確率が通常遊技状態よりも高い特定遊技状態に遊技状態を移行させる第１手段と、該特別表示結果の導出を許容する旨が決定されていないときにおいて所定の移行条件が成立したときに前記特定遊技状態に遊技状態を移行させる第２手段とを含む特定遊技状態制御手段と、
前記特定遊技状態に遊技状態が移行されているときに、複数ゲームに亘って連続した所定の連続演出を行う連続演出手段を含む演出手段とを備え、
前記事前決定手段は、前記特別表示結果の導出を許容する旨を決定するときには、該特別表示結果として定められ、導出させるための適正タイミングが互いに重複しない複数種類の特別表示結果のうちからいずれかの１種類の特別表示結果の導出を許容する旨を決定するものであって、少なくとも該複数種類の特別表示結果同士については互いに排他的に導出を許容するか否かを決定し、
前記変動停止制御手段は、前記複数種類の特別表示結果のうちのいずれかの導出を許容する旨が決定されているときに、該導出を許容する旨が決定されている種類の特別表示結果に対応した適正タイミングで前記停止操作手段が操作されたことを条件として当該特別表示結果を導出させるものであって、該特別表示結果の種類毎に前記最大遅延時間に応じて前記停止操作手段の操作タイミングが定められる特別手順のうちの該導出を許容する旨が決定された種類の特別表示結果に対応した特別手順で前記停止操作手段が操作されたことを条件として、該導出を許容する旨の決定された種類の特別表示結果を導出させ、
前記複数種類の特別表示結果の少なくとも１種類を導出させるための特別手順は、他の少なくとも１種類の特別表示結果を導出させるための特別手順とは互いに重複しない手順となっており、該互いに重複しない特別手順に応じて定められる前記複数種類の特別表示結果の全てに対応した前記停止操作手段の手順数は、複数あり、
前記第２手段により制御された特定遊技状態は、所定のゲーム数だけ継続し、
前記複数種類の特別表示結果の何れかの導出を許容する旨が決定されていれば前記所定のゲーム数のうちに前記停止操作手段の操作に応じて該導出を許容する旨の決定された種類の特別表示結果を導出させることのできるゲーム数の期待値は、前記複数種類の特別表示結果の全てに対応した前記停止操作手段の手順数よりも小さい
ことを特徴とするスロットマシン。
【手続補正２】
【補正対象書類名】明細書
【補正対象項目名】００１２
【補正方法】変更
【補正の内容】
【００１２】
上記目的を達成するため、本発明にかかるスロットマシンは、
１ゲームに対して所定数の賭数を設定することによりゲームを開始させることが可能となり、各々が識別可能な複数種類の識別情報を変動表示させる可変表示装置（可変表示装置２）に表示結果が導出されることにより１ゲームが終了し、該可変表示装置に導出された表示結果に応じて入賞が発生可能であるスロットマシンにおいて、
所定の変動開始条件（スタートレバー１１の操作）が成立したときに、前記可変表示装置における識別情報の変動表示を開始させる変動開始制御手段（ステップＳ４）と、
遊技者の操作により、前記識別情報の変動表示を停止させることを指示する停止操作手段（停止ボタン１２Ｌ、１２Ｃ、１２Ｒ）と、
前記停止操作手段の操作を検出する停止操作検出手段（ストップスイッチ４２Ｌ、４２Ｃ、４２Ｒ）と、
前記可変表示装置の表示結果が導出される以前に、前記可変表示装置の表示結果として、許容する旨が決定されたときに前記停止操作手段の操作の検出タイミングが適正であることを条件として導出されるとともに通常遊技状態よりも遊技者にとって有利な特別遊技状態への移行を伴う特別表示結果（ビッグボーナス、レギュラーボーナス）と、該特別表示結果とは異なる表示結果であって許容する旨が決定されたときに前記停止操作手段の操作の検出タイミングに関わらず導出されるとともに前記賭数の設定に使用可能な有価価値を用いることなくゲームを行うことが可能な再ゲームの付与を伴う再遊技表示結果（リプレイ）とを含む入賞表示結果を導出させることを許容するか否かを抽選により決定する事前決定手段（ステップＳ３）と、
前記停止操作検出手段が前記停止操作手段の操作を検出したときに、該操作の検出から予め定められた最大遅延時間の範囲内で識別情報の変動表示を停止させることで導出可能な表示結果であって前記事前決定手段の決定結果に応じた表示結果を導出させる変動停止制御手段（ステップＳ５）と、
前記事前決定手段による前記特別表示結果の導出を許容する旨の決定に基づいて前記特別表示結果が導出されたときに、前記特別遊技状態に遊技状態を移行させる特別遊技状態制御手段（ステップＳ２０４、Ｓ２０６）と、
前記事前決定手段による前記特別表示結果の導出を許容する旨の決定に基づいて前記特別表示結果が導出されないときに、該特別表示結果が導出されるまで当該決定を次ゲーム以降に持ち越す特別決定持越手段（ステップＳ３１５（ビッグボーナス当選フラグ、レギュラーボーナス当選フラグ以外の当選フラグを消去））と、
前記特別決定持越手段により前記特別表示結果の導出を許容する旨の決定が持ち越されているときに前記事前決定手段が前記再遊技表示結果の導出を許容する旨を決定する確率が通常遊技状態よりも高い特定遊技状態に遊技状態を移行させる第１手段（ステップＳ１１６、Ｓ１３０（テーブル３、６を選択））と、該特別表示結果の導出を許容する旨が決定されていないときにおいて所定の移行条件が成立したときに前記特定遊技状態に遊技状態を移行させる第２手段（ステップＳ１４７（テーブル１５を選択））とを含む特定遊技状態制御手段（ステップＳ２１９）と、
前記特定遊技状態に遊技状態が移行されているときに、複数ゲームに亘って連続した所定の連続演出を行う連続演出手段（液晶表示器４）を含む演出手段（演出制御基板１０２：図１２）とを備え、
前記事前決定手段は、前記特別表示結果の導出を許容する旨を決定するときには、該特別表示結果として定められ、導出させるための適正タイミングが互いに重複しない複数種類の特別表示結果（ビッグボーナス、レギュラーボーナス）のうちからいずれかの１種類の特別表示結果の導出を許容する旨を決定するものであって、少なくとも該複数種類の特別表示結果同士については互いに排他的に導出を許容するか否かを決定し、
前記変動停止制御手段は、前記複数種類の特別表示結果のうちのいずれかの導出を許容する旨が決定されているときに、該導出を許容する旨が決定されている種類の特別表示結果に対応した適正タイミング（１９０ミリ秒で対応する図柄を導出可能なタイミングで操作：図２）で前記停止操作手段が操作されたことを条件として当該特別表示結果を導出させるものであって、該特別表示結果の種類毎に前記最大遅延時間に応じて前記停止操作手段の操作タイミングが定められる特別手順のうちの該導出を許容する旨が決定された種類の特別表示結果に対応した特別手順で前記停止操作手段が操作されたことを条件として、該導出を許容する旨の決定された種類の特別表示結果を導出させ（テーブル１〜６）、
前記複数種類の特別表示結果の少なくとも１種類を導出させるための特別手順は、他の少なくとも１種類の特別表示結果を導出させるための特別手順とは互いに重複しない手順となっており、該互いに重複しない特別手順に応じて定められる前記複数種類の特別表示結果の全てに対応した前記停止操作手段の手順数は、複数あり、
前記第２手段により制御された特定遊技状態は、所定のゲーム数だけ継続し、
前記複数種類の特別表示結果の何れかの導出を許容する旨が決定されていれば前記所定のゲーム数のうちに前記停止操作手段の操作に応じて該導出を許容する旨の決定された種類の特別表示結果を導出させることのできるゲーム数の期待値は、前記複数種類の特別表示結果の全てに対応した前記停止操作手段の手順数よりも小さい
ことを特徴とする。
【手続補正３】
【補正対象書類名】明細書
【補正対象項目名】００１３
【補正方法】変更
【補正の内容】
【００１３】
上記スロットマシンでは、技量の高い遊技者であって、ほぼ確実に特別タイミングで停止操作手段を操作できる場合であっても、いずれかの種類の特別表示結果に対応した特別タイミングで停止操作手段を操作して当該種類の特別表示結果が導出されなかったとしても、依然として他の種類の特別表示結果の導出を許容する旨が決定されているかどうかは分からない。これにより、なおも連続演出が継続されることで特別表示結果の導出を許容する旨が決定されているかどうかについて遊技者の期待感を持続させるとともに、連続演出の継続により遊技者に煩わしさを感じさせることがなくなる。
【手続補正４】
【補正対象書類名】明細書
【補正対象項目名】００１４
【補正方法】変更
【補正の内容】
【００１４】
上記スロットマシンにおいて、
前記変動停止制御手段は、
前記再遊技表示結果の導出を許容する旨が決定されているときに、前記停止操作手段の操作タイミングに関わらずに該再遊技表示結果を導出させる再遊技導出手段（図２、図４：テーブル１２）と、
前記特別表示結果の導出を許容する旨が決定されているときに、前記停止操作手段が該特別表示結果を導出させるのに適正な特別タイミング（１９０ミリ秒で対応する図柄を導出可能なタイミングで操作）で操作されたことを条件として該特別表示結果を導出させる特別導出手段（図２、図４：テーブル１〜６）とを含み、
前記再遊技導出手段は、前記特別表示結果の導出を許容する旨の決定が持ち越されている状態で前記事前決定手段により前記再遊技表示結果の導出を許容する旨が決定されたときにおいても、前記停止操作手段の操作に関わらずに該再遊技表示結果を導出させる特別許容時再遊技導出手段（ステップＳ１０７、Ｓ１２１）を含み、
前記演出手段は、前記連続演出が行われているときにおいて前記事前決定手段により前記再遊技表示結果の導出を許容する旨が決定されなかったときに、前記特別タイミングで前記停止操作手段を操作したときに前記最大遅延時間の範囲内で導出することが不可能な表示結果に関する情報（スイカ当選or全ての役にハズレ）を遊技者に報知する再遊技非許容時報知手段（ステップＳ４１８）をさらに含むものとすることができる。
【手続補正５】
【補正対象書類名】明細書
【補正対象項目名】００１５
【補正方法】変更
【補正の内容】
【００１５】
ここでは、連続演出が行われている特定遊技状態において再遊技表示結果の導出を許容する旨が決定されなかったゲームでは、特別表示結果を導出させるための特別タイミングで停止操作手段を操作したときには最大遅延時間の範囲内で導出することが不可能な表示結果に関する情報を遊技者に報知するものとしている。ここで、報知された情報に従って遊技者が停止操作手段を操作した場合であれば、特別表示結果の導出を許容する旨が実際に決定されているか否かに関わらず、特別表示結果が導出されることはない。これにより、さらに連続演出を継続させて、特別表示結果の導出を許容する旨が決定されていることに対して遊技者の期待感を持続させることで、遊技の興趣を向上させることができる。
【手続補正６】
【補正対象書類名】明細書
【補正対象項目名】００１６
【補正方法】変更
【補正の内容】
【００１６】
この場合においては、
前記事前決定手段は、前記入賞表示結果として、許容する旨が決定されたときに前記停止操作手段の操作の検出タイミングが適正であることを条件として導出されるとともに前記特別表示結果とも前記再遊技表示結果とも異なり有価価値の付与を伴う小役表示結果（スイカ）の導出を許容するか否かをさらに決定するものとしてもよい。この場合において、
前記変動停止制御手段は、前記小役表示結果の導出を許容する旨が決定されているときに、前記特別タイミングとは重複しない特定タイミング（１９０ミリ秒でスイカを導出可能なタイミングで操作：図２）で前記停止操作手段が操作されたことを条件として該小役表示結果を導出させ、
前記再遊技非許容時報知手段は、前記連続演出が行われているときにおいて前記事前決定手段により前記再遊技表示結果の導出を許容する旨が決定されなかったときに、前記特定タイミングに対応した情報（スイカ当選or全ての役にハズレ）を遊技者に報知するものとすることができる。
【手続補正７】
【補正対象書類名】明細書
【補正対象項目名】００１７
【補正方法】変更
【補正の内容】
【００１７】
この場合には、報知された情報に従って特定タイミングで停止操作手段を操作することで、小役表示結果の導出により有価価値の付与を得ることを遊技者に期待させることができるので、特別タイミングで停止操作手段が操作されないようにして、いずれにしても特別表示結果が導出されないようにして、特別表示結果の導出を許容する旨が決定されているか否かを遊技者に分からないようにすることができる。
【手続補正８】
【補正対象書類名】明細書
【補正対象項目名】００１８
【補正方法】変更
【補正の内容】
【００１８】
また、この場合においては、
前記再遊技非許容時報知手段は、前記連続演出が行われているときにおいて前記事前決定手段により前記再遊技表示結果の導出を許容する旨が決定されなかったときに、前記小役表示結果の導出を許容する旨が決定されているかいずれの入賞表示結果の導出を許容する旨も決定されていないかのいずれかである旨を示す情報（スイカ当選or全ての役にハズレ）を遊技者に報知するものとすることができる。
【手続補正９】
【補正対象書類名】明細書
【補正対象項目名】００１９
【補正方法】変更
【補正の内容】
【００１９】
この場合には、特定タイミングで停止操作手段を操作して小役表示結果が導出されていなかった場合であっても、そもそも全ての入賞表示結果の導出を許容する旨が決定されていない可能性も報知しているので、報知された情報と可変表示装置の表示結果とに齟齬を生じさせることがない。
【手続補正１０】
【補正対象書類名】明細書
【補正対象項目名】００２０
【補正方法】変更
【補正の内容】
【００２０】
上記スロットマシンにおいて、
前記変動停止制御手段は、前記再遊技表示結果の導出を許容する旨が決定されているときに、前記停止操作手段の操作タイミングに関わらずに該再遊技表示結果を導出させる再遊技導出手段（図２、図４：テーブル１２）を含み、
前記再遊技導出手段は、前記特別表示結果の導出を許容する旨の決定が持ち越されている状態で前記事前決定手段により前記再遊技表示結果の導出を許容する旨が決定されたときにおいても、前記停止操作手段の操作タイミングに関わらずに該再遊技表示結果を導出させる特別許容時再遊技導出手段（ステップＳ１０７、Ｓ１２１）を含み、
前記演出手段は、前記連続演出が行われているときにおいて前記事前決定手段により前記再遊技表示結果の導出を許容する旨が決定されなかったときに、前記特別表示結果の導出を許容する旨が決定されている可能性を示す情報（チャンス）を遊技者に報知する再遊技非許容時報知手段（ステップＳ４１８の変形）をさらに含むものとすることができる。
【手続補正１１】
【補正対象書類名】明細書
【補正対象項目名】００２１
【補正方法】変更
【補正の内容】
【００２１】
ここでは、連続演出が行われている特定遊技状態において再遊技表示結果の導出を許容する旨が決定されなかったときであっても、停止操作手段を必ずしも適正なタイミングで操作できない技量の低い遊技者であれば、そもそも特別表示結果の導出を許容する旨が決定されていなかったのか、実際には特別表示結果の導出を許容する旨が決定されていても適正なタイミングで停止操作手段を操作できなかったために特別表示結果が導出されなかったのかは十分に判断できない。このため、なおも連続演出が継続しているときに、特別表示結果の導出を許容する旨が決定されている可能性が残っていることとなり、遊技者の期待感を持続させることができる。そして、この場合に継続される連続演出で期待感を持続させることで、遊技の興趣を向上させることができる。
【手続補正１２】
【補正対象書類名】明細書
【補正対象項目名】００２２
【補正方法】変更
【補正の内容】
【００２２】
この場合において、
前記事前決定手段は、前記特別表示結果の導出を許容する旨を決定するときには、該特別表示結果として定められ、導出させるための適正タイミングが互いに重複しない複数種類の特別表示結果（ビッグボーナス、レギュラーボーナス）のうちからいずれかの１種類の特別表示結果の導出を許容する旨を決定するものとしてもよい。この場合において、
前記変動停止制御手段は、前記複数種類の特別表示結果のうちのいずれかの導出を許容する旨が決定されているときに、該導出を許容する旨が決定されている種類の特別表示結果に対応した適正タイミング（１９０ミリ秒で対応する図柄を導出可能なタイミングで操作：図２）で前記停止操作手段が操作されたことを条件として当該特別表示結果を導出させ（テーブル１〜６）、
前記再遊技非許容時報知手段は、前記複数種類の特別表示結果のうちのいずれかの導出を許容する旨が決定されている可能性を示す情報（チャンス）を報知するものとすることができる。
【手続補正１３】
【補正対象書類名】明細書
【補正対象項目名】００２３
【補正方法】変更
【補正の内容】
【００２３】
この場合には、技量の高い遊技者であって、ほぼ確実に適正なタイミングで停止操作手段を操作できる場合であっても、報知された情報に従っていずれかの種類の特別表示結果に対応した適正なタイミングで停止操作手段を操作して当該種類の特別表示結果が導出されなかったとしても、依然として他の種類の特別表示結果の導出を許容する旨が決定されているかどうかは分からない。これにより、なおも連続演出が継続されることで特別表示結果の導出を許容する旨が決定されているかどうかについて遊技者の期待感を持続させるとともに、連続演出の継続により遊技者に煩わしさを感じさせることがなくなる。
【手続補正１４】
【補正対象書類名】明細書
【補正対象項目名】００２４
【補正方法】変更
【補正の内容】
【００２４】
上記スロットマシンにおいて、
前記変動停止制御手段は、前記再遊技表示結果の導出を許容する旨が決定されているときに、前記停止操作手段の操作タイミングに関わらずに該再遊技表示結果を導出させる再遊技導出手段（図２、図４：テーブル１２）を含み、
前記再遊技導出手段は、前記特別表示結果の導出を許容する旨の決定が持ち越されている状態で前記事前決定手段により前記再遊技表示結果の導出を許容する旨が決定されたときにおいても、前記停止操作手段の操作に関わらずに該再遊技表示結果を導出させる特別許容時再遊技導出手段（ステップＳ１０７、Ｓ１２１）を含み、
前記演出手段は、
前記連続演出が行われているときにおいて前記事前決定手段により前記再遊技表示結果の導出を許容する旨が決定されなかったときに、前記特別表示結果の導出を許容する旨が決定されているときには該特別表示結果の導出を許容する旨が決定されていることを示す情報を報知し、前記特別表示結果の導出を許容する旨が決定されていないときには該特別表示結果の導出を許容する旨が決定されていないことを示す情報を報知する確定報知手段（ステップＳ４５２、Ｓ４５３）と、
前記連続演出が行われているときにおいて前記事前決定手段により前記再遊技表示結果の導出を許容する旨が決定されなかったときに、次のゲームが開始されるまでに前記連続演出の実行を終了させる連続演出終了手段（ステップＳ４５４）とをさらに含むものとすることができる。
【手続補正１５】
【補正対象書類名】明細書
【補正対象項目名】００２５
【補正方法】変更
【補正の内容】
【００２５】
ここでは、停止操作手段を適正なタイミングで操作できる遊技者であれば、連続演出が行われている特定遊技状態において再遊技表示結果の導出を許容する旨が決定されなかったときには、停止操作手段の操作の結果として可変表示装置に表示される表示結果により特別表示結果の導出を許容する旨が決定されているかどうかが分かってしまう。もっとも、それよりも前に、特別表示結果の導出を許容する旨が決定されているか否かについての確定的な情報を報知し、連続演出も終了させるものとしている。このため、特別表示結果の導出を許容する旨が決定されているかどうかが分かってしまってからの連続演出の継続により遊技者に煩わしさを感じさせることがない。
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】変更
【補正の内容】
【００２７】
上記スロットマシンにおいて、
前記演出手段は、前記連続演出が行われているときにおいて前記事前決定手段により前記再遊技表示結果の導出を許容する旨が決定されたときに、該再遊技表示結果の導出を許容する旨が決定されている旨を遊技者に報知する再遊技許容時報知手段（ステップＳ４１３）をさらに備えるものとすることができる。
【手続補正１８】
【補正対象書類名】明細書
【補正対象項目名】００２９
【補正方法】変更
【補正の内容】
【００２９】
上記スロットマシンにおいて、
前記事前決定手段は、前記入賞表示結果として前記特別表示結果とも前記再遊技表示結果とも異なり有価価値の付与を伴う小役表示結果（ベル、チェリー）の導出を許容するか否かをさらに決定するものとしてもよい。この場合において、
前記演出手段は、前記連続演出が行われているときにおいて前記事前決定手段により前記小役表示結果の導出を許容する旨が決定されたときに、該小役表示結果の導出を許容する旨が決定されている旨を遊技者に報知する小役許容時報知手段（ステップＳ４１５、Ｓ４１７）をさらに備えるものとすることができる。
【手続補正１９】
【補正対象書類名】明細書
【補正対象項目名】００３２
【補正方法】変更
【補正の内容】
【００３２】
上記スロットマシンにおいて、
前記特定遊技状態制御手段は、前記可変表示装置の表示結果として特定表示結果が導出されたときに、前記特定遊技状態に遊技状態を移行させる（ステップＳ２１９）とともに、該特定遊技状態に移行された後に前記特別表示結果が導出されたときに、該特定遊技状態を終了させる（ステップＳ２０４、Ｓ２０６）ものであってもよい。
この場合、上記スロットマシンは、
前記特定遊技状態において前記特別表示結果の導出を許容する旨の決定が持ち越されているゲーム数を計数する特別決定計数手段（ステップＳ３０３）をさらに備えるものとすることができ、
前記変動停止制御手段は、前記特定遊技状態において前記特別表示結果の導出を許容する旨の決定が持ち越されている状態で前記事前決定手段により前記再遊技表示結果の導出を許容する旨が決定されたときにおいて前記最大遅延時間の範囲内で識別情報の変動表示を停止させることで導出可能な表示結果に前記再遊技表示結果と前記特別表示結果とのいずれも含まれるときに、前記特別決定計数手段により計数されたゲーム数が所定のゲーム数よりも少ないことを条件として（ステップＳ１０６（ＮＯ）、Ｓ１２０（ＮＯ））前記特別表示結果よりも前記再遊技表示結果を高い確率（それぞれ０％、１００％）で導出させ（ステップＳ１０７、Ｓ１２１（テーブル１２を選択））、前記特別決定計数手段により計数されたゲーム数が前記所定のゲーム数以上であることを条件として前記再遊技表示結果よりも前記特別表示結果を高い確率（それぞれ０％、１００％）で導出させる（ステップＳ１０８（テーブル２を選択）、ステップＳ１２２（テーブル５を選択））ものとすることができる。
【手続補正２０】
【補正対象書類名】明細書
【補正対象項目名】００３５
【補正方法】変更
【補正の内容】
【００３５】
上記スロットマシンにおいて、
前記特定遊技状態制御手段は、前記可変表示装置の表示結果として特定表示結果が導出されたときに、前記特定遊技状態に遊技状態を移行させる（ステップＳ２１９）ものとすることができる。この場合において、
前記変動停止制御手段は、前記最大遅延時間の範囲内で識別情報の変動表示を停止させることで導出可能な表示結果に前記特定表示結果が含まれるときに、前記特別表示結果の導出を許容する旨が決定されているときには該特別表示結果の導出を許容する旨が決定されていないときよりも高い確率（それぞれ１００％、１％（ステップＳ１４５））で、前記特定表示結果を導出させる（ステップＳ１１６、Ｓ１３０（テーブル３、６を選択）、ステップＳ１５７（テーブル１６を選択））ものとすることができる。
【手続補正２１】
【補正対象書類名】明細書
【補正対象項目名】００３７
【補正方法】変更
【補正の内容】
【００３７】
上記スロットマシンにおいて、前記変動停止制御手段は、停止操作手段が操作されたタイミングで最大遅延時間で導出可能な識別情報の中から事前決定手段の決定結果と遊技状態とに従って導出すべき識別情報を選択することにより、表示結果を導出させるものとしてもよい（いわゆる、コントロール方式）。また、変動停止制御手段は、停止操作手段が操作されたタイミングと事前決定手段の決定結果と遊技状態とに応じて識別情報を導出すべき位置が予め定められたテーブルに基づいて識別情報を導出することにより、表示結果を導出させるものとしてもよい（いわゆる、テーブル方式）。
【手続補正２２】
【補正対象書類名】明細書
【補正対象項目名】０１０９
【補正方法】変更
【補正の内容】
【０１０９】
ビッグボーナス当選フラグまたはレギュラーボーナス当選フラグが設定されていないときには、ＲＴカウンタの値が１１になる（すなわち、ＲＴで１０ゲームを消化する）と、ＲＴが終了する。ビッグボーナス当選フラグまたはレギュラーボーナス当選フラグが設定されているとき（ＲＴの開始後に設定された場合を含む）には、ＲＴカウンタの値が１１以上となってもＲＴが終了することはなく、ビッグボーナスまたはレギュラーボーナスに入賞することによって終了する。